(57)【要約】【課題】軽量で簡易で小型で取り付け容易な防犯シャッターが無かった。また、簡易な伸縮可能な防犯シェルター装置がなかった。【解決手段】巻バネａを構造体として巻き線の作る面を表面材ｂ，ｃで覆う構成のシャッターで、バネを圧縮しバネ両端の反力板（ｄ，ｆ）に設けた連結装置ｇ，連結部材ｈで固定して表面材とともに収納。非常時に連結を開放し、バネの力で表面材を伸長させて建築物の開口部を閉鎖する防犯用シャッターを考案した。欠点である横からの力でバネが撓んで発生した開口部からの侵入を防ぐのに表面材ｃに粘着材付の網を使用した。また、バネを同心状に内外二重に配置して、外側のバネ巻きの線の外側の犯罪等の脅威から内側のバネ巻き線の内側を保護した防犯用シェルターを考案した。この防犯用シェルターをベッドに組み込んだベッドを考案した。【選択図】        図１
2004251032.tif 000002
【特許請求の範囲】
【請求項１】
バネを構造体としてバネ外周の作る面を表面材で覆う構成で障壁を形成するシャッターで、バネを圧縮しバネ両端でバネ反力を負担する反力板に設けた連結装置でバネを固定して表面材とともに収納、建造物の開口部に設置し、非常時に信号により連結装置を開放することでバネと表面材を伸長させて犯人の侵入を防ぐ防犯用シャッター。
【請求項２】
バネに線加工バネを用いた請求項１の防犯シャッター
【請求項３】
バネに板バネを直列に連結して用いた請求項１の防犯シャッター
【請求項４】
表面材に粘着材つきの網を使用した請求項１の防犯用シャッター
【請求項５】
バネを同心状に内外二重に配置して、外側のバネ外周の外側からの犯罪等の脅威から内側のバネ内周の内側を保護する事を目的とした請求項１のシャッターを使用した防犯用シェルター。
【請求項６】
請求項５の防犯用シェルターを組み込んだベッド。
【発明の詳細な説明】
【００１】
【発明の属する技術分野】
この発明は防犯の用途に使われる、犯人の侵入を防ぐ防犯シャッターおよび防犯用シェルター、防犯シャッター、シートシャッター、蛇腹、バリアー、遮断壁、防犯ドア、防犯シェルター、防犯ネット、粘着材付の網、および防犯シェルター装置付のベッドに関するものである。
【００２】
【従来の技術】
一般に人体の侵入を防止する防犯用の障壁には以下の条件が必要である。１）通常は使用しないので、できるだけ収納時の体積が小さいこと。２）信号により速やかに且つ自動的に閉鎖すること。３）閉鎖したあと体や簡易な刃物の侵入を阻止できること。４）閉鎖したあと心理的に隔離感をもてること。５）閉鎖した空間からの脱出に支障のないこと。
【００３】構造体自身が防犯用障壁をつくるのは、金属製シャッターおよび可動式の壁がある。金属製のシャッターや可動式の壁は阻止は完全であるが、重量が重い。このため、取り付け部の強度が必要となり、取り付けに当たっても一般の人が容易にとりつけられなかった。また、閉鎖速度を高くとると、重量が重い上に挟まれたときに傷害をうける可能性が大きく、調速をして閉鎖速度を低くすると、容易にくぐり抜ける時間をあたえる欠点があった。価格的にも一般に高価である。
【００４】シャッターの構造体を表面材で覆って防犯用障壁を作るのは、アコーディオンカーテンなどがある。アコーディオンカーテンを防犯用の障壁とするためには、１）収納スペースが大きい。２）内部のパンタグラフ構造のために構成部品が多く、重量が重い。３）閉鎖するのに外部の動力を必要とする等、緊急時のみの使用とするためには、構造的に不具合があった。
【００５】表面材だけで防犯用障壁を形成するのは、シートシャッターや布製の自重落下式ロールスクリーンなどがあったが、障壁の強度が不足するため侵入阻止の確度に不安があった。また、スクリーンを展伸するのに、ロールの慣性重量を錘の重力で落下させるため、とくに初期の落下速度が遅いことも欠点である。
【００６】簡易な非常用の伸縮可能なシェルターとしては、ばねで展開するワンタッチ式の組み立てテントなどが相当するが、表面材を切り裂かれると、容易に侵入を許すなど防犯の用には適さなかった。
【００７】ベッドの付加物としての伸縮可能な防犯用シェルターは、天蓋や、カプセルベッドなどが相当の技術として考えられるが、いずれも非常起動を想定していなかったため、ベッドを個人用の簡易避難場所とするためのシェルター装置はなかった。
【００８】
【発明が解決する課題】
１）防犯の用をなすシャッターは重量が重く容易に構造材に取り付けられなかった。２）軽量なシートシャッター等では閉鎖速度が遅かった。３）軽量なシャッターは押されることで撓んで侵入を許す開口を作りやすい。４）軽量で、簡単に設置できる防犯シェルターが無かった。５）個人の空間であるベッドをシェルターとするのに適当な防犯シェルター装置がなかった。
【００９】
【課題を解決するための手段】
１）図１から図４に例示するバネａを構造体としてバネａ外周の作る面を表面材ｂ，ｃで覆う構成で障壁を形成するシャッターで、バネａを圧縮しバネ両端でバネ反力を負担する反力板（ｄ，ｆ）に設けた連結開放装置ｇ，連結部材ｈでバネを固定して表面材とともに収納して建造物に取り付け（図２）、非常時に信号により連結開放装置ｇを開放することでバネａと表面材（ｂ，ｃ）を伸長させて建造物の開口部を閉鎖し犯人の侵入を防ぐ防犯用シャッター（図１）を考案した。
【０１０】２）上記１項の防犯シャッターで、バネで防犯シャッターを構成したときの欠点であるバネ軸の横からの力でバネが撓んで開口部が発生し犯人の侵入を招くこと（図８）を防ぐのに表面材ｃ（図１から図４）に粘着材付の網を使用した。
【０１１】３）上記１項の考案にかかるシャッターで、図６のようにバネａ１，ａ２を同心状に内外二重に配置して、安全距離をこの二重の巻き線間に構成し、外側のバネａ２外周の外側の犯罪等の脅威から内側のバネａ１内周の内側を保護した防犯用シェルターを考案した。
【０１２】４）上記３項の防犯用シェルター（図６）をベッドに組み込んだベッド（図７）を考案した。
【０１３】
【発明の実施の形態】
請求項１の考案は、バネを構造体としてバネ外周の作る面を表面材で覆う構成で障壁を形成するシャッターで、バネを圧縮しバネ両端でバネ反力を負担する反力板に設けた連結装置でバネを固定して表面材とともに収納、建造物の開口部に設置し、非常時に信号により連結装置を開放することでバネと表面材を伸長させて犯人の侵入を防ぐ防犯用シャッターである。
【０１４】（実施例の解説）図２に圧縮収納状態の本考案にかかるシャッターの例、図４にその断面図を示す。図１に閉鎖（作動）状態のシャッターの例、図３にその断面図を示す。外周が箱形に成形された線加工バネを用いたバネａを構造体としてバネａ外周の作る面を表面材（ｂ，ｃ）で覆う構成で障壁を形成するシャッターで、バネａを圧縮しバネ両端の反力板（ｄ，ｆ）に設けた連結開放装置ｇ、連結部材ｈでバネを固定して表面材（ｂ，ｃ）とともに収納し建造物の開口部ｏを構成する構造体ｓ（天井）に固定する。
【０１５】緊急時にハンドルｌを操作することで、ケーブルワイヤーｍを介した信号により連結開放機構ｇを開放し、バネａと表面材ｂ、ｃをバネ両端の反力板（ｄ、ｆ）の間に伸長させｓーｔ間の建造物の構造体の開口部ｏを閉鎖し、バネａを構造体としてバネａ外周の作る面を表面材（ｂ，ｃ）で覆う構成で障壁を形成することにより犯人の侵入を防ぐ。
【０１６】（構造材としてのバネの機能）バネａの機能は１）巻き線またはバネそれ自体だけで人間が通り抜けるのを困難にする障壁を形成するとともに、２）表面材（ｂ，ｃ）を展伸する動力となる。また、３）表面材を支持する機能も有する。
【０１７】（バネの形式）図１から図４に例示した例はバネは箱形に成形した線加工バネ（ｆｒａｍｅｄ  ｗｉｒｅ）を用いたものであるが、バネの形式は板バネを直列に連結したもの（図５）他、形式を問わない。
【０１８】図５は板バネａ５を直列に並べた本考案にかかるシャッターのバネ部の例で、ｑは板バネを連結するためのピンまたはシャフト、ｐは板バネの直列結合部の剛性の不足によるバネ間隔の不静定を補償するために設けた板バネ層間の連結ベルトである。（図中他要素省略）
【０１９】（バネの寸法）バネの全幅が建造物の開口部の幅より小さくかつ、建造物とシャッターの間にあく隙間に人体が侵入できない程度であること。バネ自由長が閉鎖する建造物の開口長以上であること。の二点が満足されれば、バネの巻き線構造により建造物の開口部を閉鎖することができる。
【０２０】（バネの形状）形状についても、バネの圧縮軸方向に投影した形状は、長方形、多角形、円形等の形状を問わないが、一般的な建築についてはバネの圧縮軸方向に投影したバネの作る外周断面が長方形であるのが適合性が高い。
【０２１】バネのシャッター開口面方向から見た形状については、シャッターが閉鎖すべき開口部の形状に適合した方形が望ましいが、建築構造体との間に開口があっても、侵入を妨げる範囲であれば、防犯上の機能を有するので、バネの開口面方向から見た形状は、台形バネ、たるバネ、タケノコバネのように投影外形形状が必ずしも方形であることを要しない。
【０２２】（シャッターの閉鎖方向）シャッターの閉鎖方向は上から下、下から上に限らず、横方向に閉鎖することについてもシャッターの機能に制限はない。
【０２３】（バネ巻き線間の距離）バネ巻き線内部の空間が安全距離を形成する。これはシャッターを叩いたり棒状のもので突き刺した場合にたとえ外側表面材を突き抜けたとしても内側表面材に至るのを困難にする距離である。また、この巻き線間の間隔は、バネの横からの力に対する剛性を負担するので間隔が大きいほど横からの力が加わったときの撓みが小さくなるため、防犯機能は向上するが一方、収納時および展開時の体積が多くなるので、あまり間隔が広いものは実用的でない。
【０２４】（外側表面材の要件）外側（侵入側）表面材ｄは犯人の侵入を物理的に阻止することと、刃物等が差し込まれることを困難にさせることが要求される。また、ばねで防犯シャッターを構成したときの欠点であるばねが座屈して開口部ができることを防ぐために、犯人がふれるのをためらい、ふれた場合に障害となるような素材を用いる。具体的には、線、板、網や布、網や布に粘着材やガラス破砕沫等の棘を付着させたもの、有刺鉄線、有刺線網等が使用できる。
【０２５】（内側表面材の要件）内側（避難側）表面材ｃは外側からの視線を遮断するとともに、刃物等が差し込まれることを困難にさせる。材質については、布、網、線、板材等が使用できる。避難者側に面するので、表面は平滑で無害であるのが望ましい。
【０２６】（表面材の固定方法）表面材は単にバネ両端で反力板に固定するだけでも機能を発揮するが、バネの巻き線ごとに固定してもよい。固定方法は、取り付け金具によるもの、鳩目を使うもの、縫いつけたもの、接着したもの、紐等でとりつけるもの等が使用できるが、固定方法は問わない。
【０２７】（表面材の形状）帯状またはシート状の、外側表面材ｃおよび内側表面材ｂのそれぞれを、ばねの双方の表面につけてもかまわないが、外側ｃ内側ｂの表面材を筒状に縫製したり一枚の布を袋状に縫製して、バネにかぶせてもかまわない。
【０２８】（反力板の機能）バネの両端に設けた反力板ｄ、ｆは、バネ両端に固定され、収納時は双方の反力板を連結する部材および連結開放装置を通じてバネ反力を負担してバネを圧縮する。また、固定側の反力板ｄが建造物の開口部の構造体ｓにバネａを固定する。収納時には反力板は収納箱を兼ねることができる。（図２、図４）
【０２９】（連結開放装置）連結開放装置は、シャッター収納時はバネの張力をささえ、信号により開放する機能を有する。以上の要件をみたせば構造の制限はないが、図３、図４に示すような構造が考えられる。上部に連結開放装置ｇ、下部にバネの張力をささえる連結部材ｈをとりつけたもので、ハンドルｌを引くことでケーブルワイヤーｍを引っ張り、ケーブルワイヤーｍの信号により連結開放装置ｄを開錠、連結部材ｈを開放し、シャッターを構造体ｓ−ｔ間の開口部に展開する。
【０３０】（開口部構造体に対するバネ反力の制限）バネの最大長さは表面材の定める長さ、または閉鎖する建造物の開口部の長さにより決まるが、表面材にバネの張力にたいし十分な強度がない場合には、展伸時に開口部の構造に過大なバネ反力を与えて開口の構造を破壊しないように、反力板の間に展伸時のバネ長さを規制する張力部材ｉ（図１）をもうけることができる。張力部材は線、板、布テープ、ロープ、ワイヤーが使用できる。
【０３１】（シャッターの収納）シャッターの収納のために巻き取り装置を設けることもできる。また、張力部材ｉをバネの圧縮収納時の巻き取り用に用いることもできる。図９に巻き取り装置の例を示す。シャッターの閉鎖を解除するには、取り外し可能な巻き取りハンドルｖを回して巻き取り装置ｕを駆動、張力部材（張力ベルト）ｉを巻き上げてバネを圧縮する。これによりシャッターを収納することができる。
【０３２】（開口部を構成する構造体への固定）請求項１にかかるシャッターはシャッター設置のスペースの関係で建造物の開口高さに対しバネａの径が小さい。このため、シャッターだけでは自立ができず、また、侵入者の侵入する力に対し抗することができない。そのため少なくとも一端は構造体に固定することが必要になる。図２，図４に固定の例を示す。反力板ｄを開口部を構成する建造物ｓに固定することでシャッターの構造体であるバネａは反力板のバネ固定部を基部とした片持ち梁構造を形成する。
【０３３】（バネの撓みによる開口の防止）非常時にバネは伸張して建造物の開口部を閉鎖するが、シャッター反力板片端のみが固定されているため片持ち梁形式となり、侵入者の侵入方向がシャッターのバネの圧縮軸と直行するため、シャッターは図８に示すように比較的容易に撓んで開口する。このため、内部からはここより脱出できるが、逆に外部からはこの開口より侵入できることになる。これを防止するため、以下の何れかの付加機能を必要とする。
【０３４】１）外側表面材に犯人が触れるのをためらい、ふれた場合に障害となるような素材を用いる。具体的には、網や布、網や布に粘着材を付着させたもの、有刺鉄線、ガラス破砕沫を接着した網や布等が考えられる。
【０３５】２）本考案にかかるシャッターの収納固定側と相対する側の建造物（壁または床）に連結装置を設け、バネ展伸時に反力板が当たったときに固定する装置をもうける。
【０３６】３）バネが撓まないように展伸方向の横側の建造物にガイドレールを設ける。
【０３７】４）両端に設けられた反力板に、バネ径に対して十分大きな基部板ｊ（図１，図３）を取り付け、バネの撓み角度を制限する。
【０３８】５）バネの径をバネ長さに対し十分大きくとりバネの撓み角度を制限する。
【０３９】（請求項５  防犯シェルター）図６に示すように請求項１の考案にかかるシャッターでバネａ１，ａ２を同心状に二重に配置することで、バネ外部からバネ内部を保護する請求項５の防犯シェルターを提供することができる。
【０４０】このような用途の場合バネの巻き線が二重でなく、一重でもかまわない。特に板バネを用いるときはバネ構造自体に安全距離を確保しているので一重でもかまわない。一方、線加工バネでは安全距離を確保するために二重であることが望ましい。
【０４１】また、シェルターの用途に用いる場合、バネ外周の形状は箱形だけでなく、圧縮軸まわりの回転体形状等であっても内部に避難空間があることで十分機能を発揮する。
【０４２】この構造ではシェルター構造が自立することも利点である。天井に取り付ける事もできるし、床面に固定することなく設置する事も可能である。また、バネの巻き線内側に保護区域をもうけるこの構造の場合、バネの長さに対し十分大きい径を設定できるのでバネが横方向の力に対し撓みにくく、撓んでも開口部をあけることがない。
【０４３】（防犯シェルター説明図の解説）図６で構成を説明する。請求項１のシャッターと同様内側のバネａ１の内側の表面に表面材ｂを、外側のバネａ２の外側に表面材ｃを張り、バネａ１，ａ２の反力はバネ両端の反力板ｄ，ｆで受け止める。連結開放装置ｇと連結部材ｈで反力板の間にバネａ１，ａ２および表面材ｂ，ｃを圧縮して収納し床または天井に設置する。非常時にはハンドルｌを引きケーブルワイヤーｍを介し連結開放装置ｇを開放して建造物の開口部にバネおよび表面材を展開して、バネａ１および表面材ｃの内側を防護するシェルターを形成する。あらかじめバネには全長を制限するベルトｉが取り付けられているため、全高は天井に着くことなく天井を破壊する事はない。収納用の巻き取り装置（装置の例  図９）を付加してもよい。
【０４４】（請求項６  防犯シェルタ付ベッド）請求項５の考案にかかるシェルターをベッドの周囲に組み込んだ請求項６のベッドを図７に例示する。請求項１のシャッターと同様内側のバネａ１の内側の表面に表面材ｂを、外側のバネａ２の外側に表面材ｃを張り、バネａ１，ａ２の反力は反力板ｄ，ｆで受け止める。連結開放装置ｇと連結部材ｈで反力板の間にバネａ１，ａ２および表面材ｂ，ｃを圧縮して収納し、ベッドを取り囲むようにベッドの周囲に取り付ける。非常時にはハンドルｌを引きケーブルワイヤーｍを介し連結開放装置ｇを開放して下から上にバネａ１，ａ２および表面材ｂ，ｃを展開して、バネａ１，ａ２の内側を防護するシェルターを形成する。あらかじめバネには全長を制限するベルト（張力部材）ｉが取り付けられているため、全高は天井に着くことなく天井を破壊する事はない。収納用の巻き取り装置（装置の例  図９）を付加することも可能である。
【０４５】
【発明の効果】
防犯用シャッターの構造体にバネを用いることに以下の利点がある。１）バネと表面材を圧縮して収納するため、収納時の体積が小さい。２）構造上重量が軽い。３）簡易に構造体に取り付けられる。４）バネがシャッターを閉鎖し、表面材を展伸する動力源となるため外部動力源が不要で、特に閉鎖初期の閉鎖速度が大きい。５）バネの巻き線自体が犯人の侵入を阻止する。６）簡易な構造でメンテナンスが不要、７）安価に製造できる
【０４６】外側表面材に粘着材付の網等を使用することで、犯人が外側表面材にふれるのをためらい、ふれた場合にも障害となることで、犯人がバネ構造のシャッターを押すことでバネが撓み開口部が生じても容易に中に侵入できないようにすることができる。
【０４７】請求項１の考案にかかるシャッターでバネを同心に二重に配置することで、緊急時に自立式のシェルターを形成することができる。
【０４８】また、請求項５の考案にかかるシェルターをベッドに組み込むことにより、シェルターの収納スペースを別に求めることなく効率化すると共に、一般の個人家庭の中に容易に防犯用のシェルターを設置することができる。
【図面の簡単な説明】
【図１】シャッター閉鎖（作動）状態の説明図（斜視透視図）である。
【図２】シャッター収納状態の説明図（斜視図）である。
【図３】シャッター閉鎖（作動）状態の断面図である。
【図４】シャッター収納状態の断面図である。
【図５】バネに板バネを直列に連結して使用したシャッターの例の図である（透視図、シャッターの要件の一部を省略）。
【図６】シェルターの閉鎖（作動）状態の説明図（斜視透視図）である。
【図７】シェルター付ベッドの閉鎖（作動）状態の説明図（斜視透視図）である。
【図８】シャッターが横から押されることで撓むのを説明した図である。
【図９】シャッターの巻き上げ機構を例示した図である。
【符号の説明】
ａ  バネ
ａ１  内側バネ
ａ２  外側バネ
ａイ  バネ（閉鎖状態）
ａロ  バネ（ｘにより押された状態）
ａ５  板バネ
ｂ  内側表面材
ｃ  外側表面材
ｄ  反力板
ｅ  収納箱
ｆ  反力板（収納箱）
ｆイ  反力板（下部、閉鎖状態）
ｆロ  反力板（下部、ｘにより押された状態）
ｇ  連結開放装置
ｈ  連結部材
ｉ  張力部材（ベルト）
ｊ  基部板
ｌ  ハンドル
ｍ  ケーブルワイヤー
ｓ  天井
ｔ  床
ｕ  巻き取り装置
ｖ  巻き取りハンドル
ｏ  開口
ｐ  板バネの連結部の剛性不足を補償するベルト
ｑ  板バネを結合するピンまたはシャフト
ｗ  壁
ｘ  侵入者
【図１】
2004251032.tif 000003
【図２】
2004251032.tif 000004
【図３】
2004251032.tif 000005
【図４】
2004251032.tif 000006
【図５】
2004251032.tif 000007
【図６】
2004251032.tif 000008
【図７】
2004251032.tif 000009
【図８】
2004251032.tif 000010
【図９】
2004251032.tif 000011